(57)【要約】      （修正有）【課題】パネル面の認識度に影響を与えず、節電でき、更に光を均一にし、長時間使用でき、広範に照射できることを特徴とする照明ライトの構造を提供する。【解決手段】数個の側辺固定スタンド２１と、上下固定スタンド２２と、中段固定スタンドと、数個の回転調節ロックと、双方向ロックと、三方向ロックと数個の三方向スタンド２６と、Ｔ型スタンドと、四方向スタンド２８と、縦スタンド２９と、接合スタンド３３等により構成され、数個のライトスタンド１を設けて該構造上に螺着定位する。該ライトスタンドは一つの細長いスチールスタンドであり、分散並列の原則によってＬＥＤライト源１１を取り付け、各ＬＥＤライト源間は並列し連なる方式で連結し、スチールスタンドの両端はロック方式によって、定位台２及び連結台３に組み合わせて連結定位するジョイントを設置し、LEDライト源照明ライトを自在に投射したい範囲上に設置する。【選択図】図１４
0003139850.tif 000002
【実用新案登録請求の範囲】
【請求項１】
照明ライトの構造は、交通標識、広告看板、掲示看板等の外部投射光源であり、それに含まれる細長いライトスタンドには、回路上の数個のLEDライト源を取り付け、該LEDライト源は分散並列の原則によって設置されており、各LEDライト源間は並列し連なり独立し、且つ、該ライトスタンドの二端は異なる固定方式によって変化し、数個の固定台及び連結台を用いて定位し、LED照明ライトを投射したい範囲上に取り付けており、更に節電し、更に光を均一にし、更に使用寿命を延ばし、更に高い識別度を持つ照明効果を達成することを特徴とする、照明ライトの構造。
【請求項２】
前記LEDライト源は白光LEDまたは黄光LED等であることを特徴とする、請求項１記載の照明ライトの構造。
【請求項３】
前記LEDライト源の底台は接着接合または頭付スタッド接合方式によってライトスタンド上に固定することを特徴とする、請求項１記載の照明ライトの構造。
【請求項４】
前記LEDライト源の必要とする電源は、太陽光電池または風力発電機を組み合わせて自給供電するか、遠端より外部電源を引き入れることを特徴とする、請求項１記載の照明ライトの構造。
【請求項５】
前記長い棒状のライトスタンドと固定台と連結台は、スチール材またはアルミ材またはアルミ合金材料等であることを特徴とする、請求項１記載の照明ライトの構造。
【請求項６】
前記固定台は、側辺固定スタンド、上下固定スタンド、回転調節ロック、三方向ロック、三方向スタンド、Ｔ型スタンド、四方向スタンド、縦スタンド等であることを特徴とする、請求項１記載の照明ライトの構造。
【請求項７】
前記連結台は中段固定スタンド、双方向ロック、接合スタンドであることを特徴とする、請求項１記載の照明ライトの構造。
【考案の詳細な説明】
【技術分野】
【０００１】
本考案は照明ライトの構造に関するものであり、白光LEDライト源の軽い質感、小体積、広角度でのライトアップ、簡単に衰えないという特徴を利用して、側辺固定スタンドと上下固定スタンドと回転調節ロックと三方向ロックと三方向スタンドとＴ型スタンドと四方向スタンドと縦スタンドを含む数個の固定台、及び、中段固定スタンドと双方向ロックと接合スタンドの相互組合せ設計を含む数個の連結台を結合し、各種交通標識、広告看板、掲示看板等の外部投射光源の技術領域に応用することができる。
【背景技術】
【０００２】
一般に見られる公知の照明ライトは、通常、交通標識、広告看板の上方または下方に取り付けて投射するものであり、よく使用されるのはハロゲンカップライトやハロゲンチューブライトやハロゲン電球であり、ハロゲンライトはタングステンフィラメントライトより価格が安く、寿命が長く、明るさ及び効率が更に高いという長所を持ち、フィラメントの容易な切断を防ぎ、且つ、更に高温にて照明に通電する故、明るさ及び効率も更に良好であるが、外周が石英ガラスによって包み込まれており、該石英ガラスの融点が高く、通常ガラスは高温に適しない故、紫外線隔離能力に劣る。
【考案の開示】
【考案が解決しようとする課題】
【０００３】
考案が解決しようとする課題は次のとおりである。
(1)公知照明ライトの電球が電気エネルギーを光に変換する効果において、生成される光エネルギーは電気エネルギーのたったの5%前後に過ぎず、残りの95%は全て不必要な熱エネルギーに変換してしまう為、消耗される電量は非常に大きい。その為、遠端から電源を引き入れて電気を供給しなければならず、それにより初めて大量の光源を発生させることができる。
(2)公知照明ライトのライトスタンドは、電球台及び電球の重量を乗せる為の適当なサポート力が必要である故、一定の体積構造によって前端の電球台及び電球の重量による下方向に圧する力を受け止めなければならないが、同時に、見た目の問題にも影響を与える。
(3)電球の発光は一つの球体を呈した内側から外側に照射され、光線が一つの平面上に達した時、その照度は必然的に不均一現象を起こし、これらの欠点を補強する為には、電球台の数量を追加しなければならず、コストアップとなる。
【課題を解決するための手段】
【０００４】
前述課題を解決するための手段は次のとおりである。
(1)LEDライト源は、低電圧、低電流、低い変換損失という特性を利用して、太陽光パネルまたは小型風力機等の蓄電装置を組み合わせることにより、自己蓄電と自己供電の作用を可能にしており、別に電源を引いて電気供給をする必要がない。
(2)LEDライト源は、細長いライトスタンド上に散布しており、ライトスタンドが占める体積比率は小さく、遠くから見た時パネル面の認識度に影響を与えず、また照明ライトの光線均一性を提供する。
(3)数個の固定スタンドを大型看板後方に螺着固定し、数個の側辺固定スタンド、上下固定スタンド、中段固定スタンドと数個の回転調節ロック、双方向ロック、三方向ロック組と数個の三方向スタンド、Ｔ型スタンド、四方向スタンド、縦スタンド、接合スタンドを組み合わせて構成され、数個のライトスタンドを構造上に螺設定位し、白光LEDライト源照明ライトを便利に迅速に投射範囲上に取り付けており、公知の照明ライトと比較すると、同面積、同照度の条件の下では、更に節電、更に光を均一にし、更に長時間使用でき、広範に照射する需要を達成する。
【考案の効果】
【０００５】
本考案の照明ライトの構造は、パネル面の認識度に影響を与えず、更に節電、更に光を均一にし、更に長時間使用でき、広範に照射できることを特徴とする。
【考案を実施するための最良の形態】
【０００６】
図１、図２に示すとおり、小体積、軽量、迅速反応、長寿命、簡単に衰えない、外観が丈夫、耐振動、指向設計が簡単、低電圧、低電流、変換損失が低い、熱輻射が小さい、量産が簡単、環境保護等の特性を有する発光ダイオード（LED）の多くの長所を利用し、一つの細長いライトスタンド1上に、回路上にある数個の白光LEDライト源11を取り付け、それを分散並列の原則によって配置し、且つ、各LEDライト源11間は並列し連なって独立しており、その底台は接着接合または頭付スタッド接合方法で固定、また、該ライトスタンド1の二端は異なる固定方式によって変化し、数個の固定台2及び連結台3により定位する。
【０００７】
図３、図４、図７、図８に示すとおり、小型看板Wまたは掲示看板に照明を投射する場合、該ライトスタンド1の一端には数個の定位孔12を設け、もう一端には数個の穴のある回転盤13を設置する。該固定台2は、側辺固定スタンド21としてもよく、一端を該小型看板Wの後方二側辺に螺着固定し、もう一端には環状穴211を設け回転盤13の穴に対応させ、照明必要角度に応じてそれと螺着定位し、白光LEDライト源11は分散並列の配置原則に基づいて、照明ライト光源を看板W上に平均分散させることにより、光線の最良均一分布を提供し、且つ、白光LEDライト源11間は並列に連なる方式で連結し、一つのライト源が損傷する状況が発生しても、その他のライト源の継続作動に影響を与えず、白光LEDライト源11を交換する場合はただ損傷したライトを取り替えればよく、照明ライトの作用性を向上させ、メンテナンスコストを低下させる。該ライトスタンド1の二端にはそれぞれ数個の定位孔12を設置し、側辺固定スタンド21のもう一端を変更して数個の嵌止孔212を設け、回転調節ロック23の回転台231内に嵌合することも可能である。また該回転調節ロック23は固定台2構造内に含まれ、回転調節ロック23の回転板232を照明必要角度に調節でき、ライトスタンド1の二端の定位孔12はそれぞれ回転板232内に嵌合し、それは回転調節ロック23によって互いに組み合わせ連結されて嵌合定位し、もう一種の組み合わせ連結方式を提供する。該ライトスタンド1の二端にはそれぞれ数個の定位孔12を設置することも可能であり、側辺固定スタンド21の別の一端を変更して数個の固定孔213を設置し、それはネジ214で二方向スタンド25の一端を螺着する。また該二方向スタンド25は固定台2構造内に含まれ、照明必要角度に応じて該二方向スタンド25を製造し、ライトスタンド1の二端の定位孔12はそれぞれ二つの二方向スタンド25の別の一端に螺着して、更に別の一種の組み合わせ連結方式を提供する。
【０００８】
図５、図６、図９、図１0に示すとおり、大型看板Wまたは広告看板に照明を投射する場合、該固定台2は数個の側辺固定スタンド21及び上下固定スタンド22とし該大型看板W後方に螺着固定することも可能であり、別の一端には環状穴211を設け回転盤13の穴に対応しており、数個の螺着固定孔221に設置した数個のライトスタンド1は照明角度に応じて側辺固定スタンド21及び上下固定スタンド22上に螺着定位し、また中間にある該連結台3は中段固定スタンド31とすることも可能であり、数個の連結孔311を設け二つのライトスタンド1の互いに異端となる同士を螺着する。側辺固定スタンド21の別の一端を変更して数個の嵌止孔212を設け、並びに、該側辺固定スタンド21及び上下固定スタンド22をそれぞれ回転調節ロック23の回転台231と三方向ロック24の嵌合台241内に嵌入する。該回転調節ロック23と三方向ロック24は固定台2構造内に含まれ、該回転板232と嵌合板242を照明必要角度に調節する。取り付けたライトスタンド1二端の定位孔12は該回転板232、嵌合板242内に嵌入する。中間の該連結台3は双方向ロック32とすることも可能であり、二つのライトスタンド1の互いに異なる端と嵌合する。側辺固定スタンド21の別の一端を変更して数個の固定孔213を設ける。並びに、側辺固定スタンド21及び上下固定スタンド22はそれぞれネジ214で、三方向スタンド26のスタンド台261の螺着孔262と、Ｔ型スタンド27の基台271の螺着固定孔272と、四方向スタンド28の底台281の螺着接合孔282と、縦スタンド29の螺着固定孔291に螺着し、また該三方向スタンド26とＴ型スタンド27と四方向スタンド28と縦スタンド29は固定台2構造内に含まれ、照明必要角度に応じて該三方向スタンド26とＴ型スタンド27と四方向スタンド28を製造し、ライトスタンド1二端の定位孔12をそれぞれ各三方向スタンド26一端の螺着孔262と、Ｔ型スタンド27の互いに異なる二端の螺着固定孔272と、四方向スタンド28内側端の螺着接合孔282上に螺着する。また、該縦スタンド29は三方向スタンド26と四方向スタンド28間に螺着固定し、構造強度と耐用性を強化し、中間の該連結台3には数個の固定孔のある接合スタンド33を設けることも可能であり、二つのライトスタンド1の互いに異なる端に螺着し、白光LEDライト源の照明ライトは投射したい範囲上に自在に設置することができ、同様面積と同様照度という要求の下、更に節電し、光を更に均一にし、更に使用寿命を延ばし、広範照明という実際効果を達成する。
【０００９】
図５、図９に示し、前述の構造機能に述べたとおり、固定台2と連結台3によって更に多層の照明スタンドを組み合わせて結合し、且つ、白光LEDライト源11を数条の細長いライトスタンド1上に分散並列する。該ライトスタンド1が占める体積比率は小さく、遠くから見た場合でも、看板W面の識別度に影響を与えないと言ってもよく、それは照明ライト光線を均一的に分散させ、更に白光LEDライト源11の低電圧、低電流、低変換損失の特性を利用して、太陽光パネルまたは小型風力機等の蓄電裝置を組み合わせることも可能で、自給供電作用を提供することも可能で、遠端から別の電源を引いて供電する必要がない。
【００１０】
本考案はLEDライト源11をライトスタンド1上に分散並列することができ、重量が軽く、体積比率も小さく、均一散光性等の特徴を持つ為、異なる固定台2と連結台3構造に連結した組み合わせは、外部投射光源の実用的な効果を提供し、実用新案の条件に確実に符合する故、貴庁には実用新案の迅速なる許可をここにお願い申し上げます。
【図面の簡単な説明】
【００１１】
【図１】本考案に関するライトスタンドの立体図
【図２】本考案に関するライトスタンドの側面照明図
【図３】本考案の実施例１に関する立体分解図
【図４】本考案の実施例１に関する立体組立て図
【図５】本考案の実施例２に関する立体分解図
【図６】本考案の実施例２に関する立体組立て図
【図７】本考案の実施例３に関する立体分解図
【図８】本考案の実施例３に関する立体組立て図
【図９】本考案の実施例４に関する立体分解図
【図１０】本考案の実施例４に関する立体組立て図
【図１１】本考案の実施例５に関する立体組立て図
【図１２】本考案の実施例６に関する立体分解図
【図１３】本考案の実施例６に関する立体組立て図
【図１４】本考案の実施例７に関する立体組立て図
【符号の説明】
【００１２】
１        ライトスタンド
１１      LEDライト源
１２      定位孔
１３      回転盤
２        固定台
２１      側辺固定スタンド
２１１    環状穴
２１２    嵌止孔
２１３    固定孔
２１４    ネジ
２２      上下固定スタンド
２２１    螺着固定孔
２３      回転調節ロック
２３１    回転台
２３２    回転板
２４      三方向ロック
２４１    嵌合台
２４２    嵌合板
２５      二方向スタンド
２６      三方向スタンド
２６１    スタンド台
２６２    螺着孔
２７      Ｔ型スタンド
２７１    基台
２８      四方向スタンド
２８１    底台
２８２    螺着接合孔
２９      縦スタンド
２９１    螺着固定孔
３        連結台
３１      中段固定スタンド
３１１    連結孔
３２      双方向ロック
３３      接合スタンド
Ｗ        看板
【図１】
0003139850.tif 000003
【図２】
0003139850.tif 000004
【図３】
0003139850.tif 000005
【図４】
0003139850.tif 000006
【図５】
0003139850.tif 000007
【図６】
0003139850.tif 000008
【図７】
0003139850.tif 000009
【図８】
0003139850.tif 000010
【図９】
0003139850.tif 000011
【図１０】
0003139850.tif 000012
【図１１】
0003139850.tif 000013
【図１２】
0003139850.tif 000014
【図１３】
0003139850.tif 000015
【図１４】
0003139850.tif 000016